(57)【特許請求の範囲】
【請求項１】
シェルと、前記シェル内に配置された回路基板と、前記回路基板に電気的に接続されたプラグ及びアンテナと、前記プラグと前記アンテナとの間に配置されたリンケージ機構とを備え、ここで、前記プラグが前記シェルから伸長する場合、前記プラグは前記リンケージ機構を駆動し、前記リンケージ機構を介して前記アンテナを前記シェルに開けられたスルーホールから伸ばすように駆動し、又は、前記スルーホールから前記アンテナが伸ばされる場合、前記アンテナは前記リンケージ機構を駆動し、前記リンケージ機構を介して前記プラグを前記プラグが前記シェルから伸長することを可能にするように駆動し、
前記プラグが前記シェルに引っ込められる場合、前記プラグは前記リンケージ機構を駆動し、前記リンケージ機構を介して前記アンテナを前記アンテナが前記スルーホールに引っ込められるように駆動し、又は、前記スルーホールに前記アンテナが引っ込められる場合、前記アンテナは前記リンケージ機構を駆動し、前記リンケージ機構を介して前記プラグを前記プラグが前記シェルに引っ込められるように駆動し、
前記プラグは、前記回路基板に電気的に接続されたプラグ本体と、前記プラグ本体の一方の端上に固定的に配置された絶縁材料の回転部とを含み、ここで、前記回転部は、前記シェル又は前記回路基板上にヒンジ連結又はピボット連結され、前記プラグは、前記プラグが前記シェルに引っ込められた、又は前記シェルから伸長した状態にある位置まで前記回転部と共に回転する、
プラグを有する電子装置。
【請求項２】
前記リンケージ機構は、一方の端が前記回転部の端上にヒンジ連結又はピボット連結され、他方の端が前記アンテナ上にヒンジ連結又はピボット連結される、リンク棒と、前記シェル内に配置された第１のガイドレールとを備え、ここで、前記アンテナは、前記第１のガイドレール内に組み込まれ前記第１のガイドレール内を、前記アンテナが前記スルーホールに引っ込められた、又は前記スルーホールに伸ばされた状態にある位置までスライドすることが可能である、請求項１に記載の、プラグを有する電子装置。
【請求項３】
スライディングブロックが前記アンテナ上に固定的に配置され、前記リンケージ機構は、一方の端が前記回転部の端上にヒンジ連結又はピボット連結され、他方の端が前記スライディングブロック上にヒンジ連結又はピボット連結されるリンク棒を備え、ここで、前記スライディングブロックは、第１のガイドレール内に組み込まれ、前記第１のガイドレール内をスライドすることが可能であり、前記スライディングブロックは、スライドする場合、前記アンテナを、前記スルーホールに引っ込むように、又は前記スルーホールから伸びるように駆動する、請求項１に記載の、プラグを有する電子装置。
【請求項４】
前記リンケージ機構は、前記回転部上に固定的に配置された第１のギヤと、前記シェル内に配置された第２のガイドレールと、前記第２のガイドレール内に組み込まれ、かつ、前記第１のギヤと歯合された第１のラックとを備え、ここで、前記第１のラックは、前記アンテナに固定的に接続され、前記第１のラックは前記第２のガイドレール内をスライドすることが可能であり、そして、前記第１のラックは、スライドする場合、前記アンテナを、前記スルーホールに引っ込むように、又は前記スルーホールから伸びるように駆動する、請求項１に記載の、プラグを有する電子装置。
【請求項５】
前記リンケージ機構は、前記回転部上に固定的に配置された第２のギヤと、前記シェル内に配置された第３のガイドレール及び第４のガイドレールと、前記第３のガイドレール内に組み込まれ、かつ、前記第２のギヤと歯合された第２のラックと、前記第４のガイドレール内に組み込まれ、かつ、前記アンテナに固定的に接続された第３のラックと、前記シェル上にピボット連結され、かつ、相互に歯合された第３のギヤ及び第４のギヤとを備え、ここで、
前記第３のラックは前記第４のガイドレール内をスライドすることが可能であり、そして、前記第３のラックは、スライドする場合、前記アンテナを、前記スルーホールに引っ込むように、又は前記スルーホールから伸びるように駆動し、
前記第３のギヤは、前記第２のラックと歯合され、前記第４のギヤは、前記第３のラックと歯合される、請求項１に記載の、プラグを有する電子装置。
【請求項６】
前記リンケージ機構は、一方の端が前記回転部に固定的に接続され、前記回転部を巻き、他方の端が前記アンテナに固定的に接続される柔軟ベルトと、前記シェル内に配置されたアンテナガイドレールとを備え、ここで、前記アンテナは、前記アンテナガイドレール内を、前記アンテナが前記スルーホールに引っ込められた、又は前記スルーホールから伸ばされた状態にある位置まで、スライドすることが可能である、請求項１に記載の、プラグを有する電子装置。
【請求項７】
前記電子装置は、無線モデムであり、前記プラグは、ＵＳＢプラグである、請求項１〜６のいずれか一項に記載の、プラグを有する電子装置。
【発明の詳細な説明】
【技術分野】
【０００１】
本発明は、電子技術の分野に関し、特に、プラグを有する電子装置に関する。
【背景技術】
【０００２】
電子技術の発達に伴い、データカードなどの、様々な、プラグを有する電子装置が、ますます幅広く適用されている。
【０００３】
図１に示すように、従来の、プラグを有する電子装置は、シェル１と、シェル１内に配置された、回路基板と、回路基板に電気的に接続された、プラグ３及びアンテナ５とを含み、ここで、プラグ３及びアンテナ５は、それぞれ、シェル１上にヒンジ連結され、あるいは、それぞれ、シェル１のスルーホールに沿って、シェル１から伸長するか、又はシェル１に引っ込み、あるいは、一方が、シェル１上にヒンジ連結され、他方が、シェル１のスルーホールに沿って、シェル１から伸長するか、又はシェル１に引っ込む。ボタン２４を介して制御される、弾性メカニズムが、プラグ３とシェルとの間に更に配置される。プラグ３がシェル１に引っ込められている場合、弾性メカニズムを作動させるためにボタン２４が押され、これにより、プラグ３はシェル１から伸長し、そして、プラグ３は引かれ、又は押され、これにより、プラグ３がシェル１に引っ込められた場合、弾性メカニズムがプラグ３をロックする。
【０００４】
プラグを有する電子装置が使用される場合、プラグ３がシェル１から伸長された状態になるように、プラグ３がシェル１から飛び出ることを可能にするボタン２４が最初に押される必要があり、アンテナ５が伸ばされた状態になるように、アンテナ５が引かれ、又は引っ張られ、次に、プラグ３は、プラグ３に対応する、情報処理装置（例えば、ノートブック、コンピュータのメインフレームボックス）のスロットに差し込まれる。プラグ３が差し込まれた後、情報処理装置は、プラグ３及びスロット結合構成を介して回路基板と通信し、アンテナ５を介して無線信号を送信及び受信することによって外部ネットワーク基地局と通信して、インターネットをサーフィンすることなどの情報相互作用の機能を実施してもよい。使用の後、携行の便宜のために、プラグ３及びアンテナ５が再び引っ込められた状態になるように、プラグ３及びアンテナ５は、手動で引かれる、又は押される必要がある。
【発明の概要】
【発明が解決しようとする課題】
【０００５】
本発明の実施において、発明者は、従来技術が少なくとも以下の問題を有することを見い出した。
【０００６】
従来の、プラグを有する電子装置が使用される場合、図１に示すようなプラグ３がシェル１から伸長された状態になるように、プラグ３がシェル１から飛び出ることを可能にするボタン２４が最初に手動で押されなければならず、次に、アンテナ５が伸ばされた状態になるように、アンテナ５が引かれ、又は引っ張られる。最初にプラグ３がシェル１から伸長された状態にされるか、最初にアンテナ５が伸ばされた状態にされるかに関係なく、プラグ３及びアンテナ５の位置が使用可能状態にあるようにするためには、２つの操作が必要とされ、従って、操作は煩雑である。
【課題を解決するための手段】
【０００７】
本発明の実施形態は、従来の、プラグを有する電子装置の、煩雑な操作という技術的問題を解決するための、プラグを有する電子装置を提供する。
【０００８】
この目的を達成するために、本発明の実施形態は、以下の技術的解決法を採用する。
【０００９】
プラグを有する電子装置は、シェルと、シェル内に配置された、回路基板と、回路基板に電気的に接続された、プラグ及びアンテナと、プラグとアンテナとの間に配置された、リンケージ機構とを含み、ここで、プラグがシェルから伸長する場合、プラグは、リンケージ機構を駆動し、そして、リンケージ機構を介して、アンテナを、伸ばされるように駆動し、又は、アンテナが伸ばされる場合、アンテナは、リンケージ機構を駆動し、そして、リンケージ機構を介して、プラグを、プラグがシェルから伸長することを可能にするように駆動する。
【発明の効果】
【００１０】
従来技術と比較して、本発明による技術的解決法は、以下の利点を有する。
【００１１】
リンケージ機構は、本発明の実施形態のプラグとアンテナとの間に配置されるため、プラグがシェルから伸長する場合、プラグは、リンケージ機構を駆動し、そして、リンケージ機構を介して、アンテナを、伸ばされるように駆動し、又は、アンテナが伸ばされる場合、アンテナは、リンケージ機構を駆動し、そして、リンケージ機構を介して、プラグを、プラグがシェルから伸長することを可能にするように駆動する。本発明の実施形態による、プラグを有する電子装置を採用することによって、最初にプラグがシェルから伸長することが可能にされるか、最初にアンテナが伸ばされることが可能にされるかに関係なく、１つのみの操作が、プラグ及びアンテナの位置が使用可能状態にあることを可能にするために必要とされ、これは、従来技術と比較して、より操作に便利であり、これにより、従来の、プラグを有する電子装置の、煩雑な操作という技術的問題が解決される。
【００１２】
本発明の実施形態による、又は従来技術における、技術的解決法をより明確に説明するために、実施形態又は従来技術を説明するために必要な、添付の図面について、以下に簡単に紹介する。明らかに、以下の説明における添付の図面は、本発明の実施形態のうちのいくつかを示すものにすぎず、当業者は、その他の図面を、添付の図面に従って、創造的な活動を行うことなく取得することが可能である。
【図面の簡単な説明】
【００１３】
【図１】プラグを有する電子装置のプラグが、シェルから伸長された状態から、シェルに引っ込められた状態に変化し、アンテナが、伸ばされた状態から、引っ込められた状態に変化する、従来技術における３次元概略図である。
【図２】本発明の実施形態１で提供される、プラグを有する電子装置の実施手法の概略図である。
【図３】本発明の実施形態１で提供される、プラグを有する電子装置の別の実施手法の概略図である。
【図４】本発明の実施形態１で提供される、プラグを有する電子装置の更に別の実施手法の概略図である。
【図５】本発明の実施形態２で提供される、プラグを有する電子装置の概略図である。
【図６】本発明の実施形態３で提供される、プラグを有する電子装置の概略図である。
【図７】本発明の実施形態４で提供される、プラグを有する電子装置の実施手法の概略図である。
【図８】本発明の実施形態４で提供される、プラグを有する電子装置の別の実施手法の概略図である。
【発明を実施するための形態】
【００１４】
本発明の技術的解決法について、添付の図面を参照して、以下に明確に説明する。説明される実施形態は、本発明の実施形態の全てではなく、一部にすぎないということは明らかである。当業者によって、本発明の実施形態に基づいて、創造的な活動を行うことなく取得される、全てのその他の実施形態は、本発明の保護範囲内に入る。
【００１５】
本発明の実施形態は、より使用に便利な、かつ、操作がより簡単な、プラグを有する電子装置を提供する。
【００１６】
実施形態１
図２に示すように、本発明の一実施形態による、プラグを有する電子装置は、シェル１と、シェル１内に配置された、回路基板２と、回路基板２に電気的に接続された、プラグ３及びアンテナ５と、プラグ３とアンテナ５との間に配置された、リンケージ機構４とを含む。プラグ３がシェル１から伸長する場合、プラグ３は、リンケージ機構４を駆動し、そして、リンケージ機構を介して、アンテナ５を、伸ばされるように駆動し、又は、アンテナ５が伸ばされる場合、アンテナ５は、リンケージ機構４を駆動し、そして、リンケージ機構を介して、プラグ３を、プラグ３がシェル１から伸長することを可能にするように駆動する。
【００１７】
本発明の実施形態では、リンケージ機構４がプラグ３とアンテナ５との間に配置されるため、プラグ３がシェル１から伸長する場合、プラグ３は、リンケージ機構４を駆動し、そして、リンケージ機構を介して、アンテナ５を、伸ばされるように駆動し、又は、アンテナ５が伸ばされる場合、アンテナ５は、リンケージ機構４を駆動し、そして、リンケージ機構を介して、プラグ３を、プラグ３がシェル１から伸長することを可能にするように駆動する。本発明の実施形態で提供される、プラグを有する電子装置を採用することによって、最初にプラグ３がシェル１から伸長することが可能にされるか、最初にアンテナ５が伸ばされることが可能にされるかに関係なく、１つのみの操作が、プラグ３及びアンテナ５が使用可能状態にあることを可能にするために必要とされ、これは、従来技術と比較して、より操作に便利であり、これにより、従来の、プラグを有する電子装置の、煩雑な操作を要するという技術的問題が解決される。
【００１８】
この実施形態では、プラグ３及びアンテナ５は、たわみ線２６を介して、回路基板２に電気的に接続される。プラグ３がシェル１に引っ込められる場合、プラグ３は、リンケージ機構４を駆動し、そして、リンケージ機構を介して、アンテナ５を、アンテナ５が引っ込められるように駆動し、又は、アンテナ５が引っ込められる場合、アンテナ５は、リンケージ機構４を駆動し、そして、リンケージ機構を介して、プラグ３を、プラグ３がシェル１に引っ込められるように駆動する。プラグを有する電子装置によって占められる空間を減らし、簡便な携行という目的を達成するために、使用を完了した後、プラグ３及びアンテナ５は、再び、引っ込められた状態にある必要がある。本実施形態による前述の技術的解決法を使用すれば、プラグを有する電子装置が使用された後、最初にプラグ３がシェル１に引っ込むことが可能にされるか、最初にアンテナ５が引っ込むことが可能にされるかに関係なく、１つの操作のみが、プラグ３及びアンテナ５が再び引っ込められた状態にあることを可能にするために必要とされ、これにより、本発明は、更に、より使用に便利な、かつ、操作がより簡単なものとなる。
【００１９】
プラグ３は、回路基板２に電気的に接続された、プラグ本体３１と、プラグ本体３１の一方の端上に固定的に配置された、絶縁材料の回転部３２とを含み、ここで、回転部３２は、シェル１又は回路基板上に、ヒンジ連結又はピボット連結され、プラグ３は、シェル１に引っ込められた、又はシェル１から伸長した状態まで、回転部３２と共に回転してもよい。この実施形態では、回転部３２は、シェル１上にヒンジ連結されることが好ましい。シェル１の強度は、回路基板の強度より良好であり、従って、回転部３２とシェル１との間の接続構成は、より信頼性が高いものとなる。一態様では、回転部３２は、プラグ３の一方の端を保護して、プラグ本体３１と回路基板２との間の電気的接続が、信頼性が高いことを保証し、別の態様では、回転部３２上で実行されるヒンジ連結又はピボット連結の動作のために、空間が大きく、かつ構成が好都合であるだけでなく、更に、プラグ３と回路基板２との間の電気的接続の性能は容易に影響を及ぼされない。
【００２０】
スルーホール６がシェル１内に開けられ、ここで、アンテナ５は、伸ばされる場合、スルーホール６から伸長し、引っ込められる場合、スルーホール６に引っ込む。
【００２１】
伸ばされる場合、アンテナ５は、スルーホール６から伸長し、シェル１がアンテナ５の信号受信能力に影響を及ぼすことがなくなり、これにより、アンテナ５の良好な受信効果が保証される。アンテナ５がスルーホール６に引っ込んだ後は、シェル１がアンテナ５を保護し、アンテナ５を運ぶ際の、アンテナ５との意図しない接触が回避される。
【００２２】
この実施形態では、リンケージ機構４は、リンク棒７（その一方の端は、回転部３２の端上にヒンジ連結又はピボット連結され、他方の端は、アンテナ５上にヒンジ連結又はピボット連結される）と、シェル１の内部に配置された、第１のガイドレール８とを含み、ここで、アンテナ５は、第１のガイドレール８内に組み込まれ、第１のガイドレール８内を、アンテナ５が引っ込められた、又は伸ばされた状態にある位置まで、スライドすることが可能である。リンク棒７は、回転部３２の端上にヒンジ連結又はピボット連結されるため、アンテナ５が第１のガイドレール８の内部をスライドする場合、回転部３２は、リンク棒７の引きを受けて、回転部３２がシェル１上にヒンジ連結又はピボット連結された位置の周囲を回転してもよく、そして、アンテナ５が、第１のガイドレール８内を、アンテナ５が引っ込められた、又は伸ばされた状態にある位置まで、スライドする場合、プラグ本体３１は、同時に、回転するように駆動され、プラグ３は、リンク棒７の引っ張りを受けて、プラグ３がシェル１に引っ込められた、又はシェル１から伸長した状態にある位置まで回転する。
【００２３】
この実施形態では、回転部３２は、図２に示すような円形状、又は、図３に示すようなカム形状であると仮定され、回転部３２上では、リンク部２３が、回転部３２がシェル１上にヒンジ連結又はピボット連結された位置の端上に配置され（ここで、端はこの位置から遠く離れており）、リンク棒７は、リンク部２３上にヒンジ連結又はピボット連結される。リンク部２３と、回転部３２とは、一体構成であってもよく、又は、組み立てられ、固定的に接続される、分離構成であってもよい。回転部３２上で、リンク部２３は、回転部３２がシェル１上にヒンジ連結又はピボット連結された位置の端上に配置され、ここで、端はこの位置から遠く、これにより、アンテナ５がスライドする場合、又はプラグ３が回転する場合の、棒７の引く距離が増加し、従って、回転部３２は、大きなサイズのアンテナ５を、アンテナ５が引っ込められた、又は伸ばされた状態にある位置までスライドするように駆動することが可能である。
【００２４】
この実施形態では、電子装置は、インターネットへのモバイル無線アクセスを実施するように構成された、無線モデムなどの、モバイルブロードバンド装置である。プラグは、ＵＳＢインタフェースのプラグであり、ここで、プラグは、パーソナルコンピュータなどの、ＵＳＢインタフェースを有するユーザ端末に接続して、モバイルブロードバンド装置を介した、インターネットへの、パーソナルコンピュータの接続を実施するために使用される、ＵＳＢ回転プラグ、又は直押し式ＵＳＢプラグであってもよい。アンテナは、モバイルブロードバンド装置と、無線通信ネットワークとの間の、無線周波数送信及び受信を実施するように構成された、伸縮式アンテナである。モバイルブロードバンド装置が動作状態にある場合、アンテナは、シェルから伸ばされ、又は伸長し、モバイルブロードバンド装置が動作しない場合、アンテナは、シェルに引っ込められる。
【００２５】
図４に示すように、これは、この実施形態の別の実施手法である。スライディングブロック９が、アンテナ５上に固定的に配置され、リンク棒７の一方の端は、回転部３２の端上にヒンジ連結又はピボット連結され、他方の端は、スライディングブロック９上にヒンジ連結又はピボット連結され、ここで、スライディングブロック９は、第１のガイドレール８内に組み込まれ、そして、第１のガイドレール８内をスライドしてもよく、スライディングブロック９は、スライドする場合、アンテナ５を、引っ込むように、又は伸びるように駆動してもよい。スライディングブロック９はアンテナ５に固定的に接続されるため、スライディングブロック９は、スライドする場合、アンテナ５を、スライドするように必然的に駆動し、そして、スライディングブロック９の構成は、アンテナ５とリンク棒７との間の、ヒンジ連結又はピボット連結を実行するための空間を増加させる。
【００２６】
図２に示すように、実施形態は更に改良される。この実施形態では、溝２１がシェル１上に開けられ、プラグ３は、シェル１に引っ込められる場合、溝２１内に組み込まれてもよく、そして、プラグと、溝２１の側壁との間には、間隙が存在する。プラグ３がシェル１に引っ込められる場合、プラグは、溝２１内に組み込まれる。そのような場合、溝２１の側壁がプラグ３を保護し、プラグ３と、溝２１の側壁との間の間隙は、ユーザにとって便利であり、電子装置を使用する場合、ユーザは、プラグ３がシェル１から伸長した状態にあるように、プラグ３を、指を介して取り出してもよい。
【００２７】
実施形態２
図５に示すように、この実施形態は、実施形態１と基本的に同じであり、違いは、以下の点にある。この実施形態では、リンケージ機構４は、回転部３２上に固定的に配置された、第１のギヤ１１と、シェル１内に配置された、第２のガイドレール１０と、第２のガイドレール１０内に組み込まれた、かつ、第１のギヤ１１と歯合された、第１のラック１２とを含み、ここで、第１のラック１２は、アンテナ５に固定的に接続され、第１のラック１２は、第２のガイドレール１０内をスライドしてもよく、そして、第１のラック１２は、スライドする場合、アンテナ５を、引っ込むように、又は伸びるように駆動する。
【００２８】
第１のギヤ１１は、プラグ３の回転部３２に固定的に接続されるため、回転部３２は、回転する場合、第１のギヤ１１を回転するように駆動し、第１のギヤ１１は、回転する場合、第１のギヤ１１と歯合された第１のラック１２を、第２のガイドレール１０内をスライドするように駆動する。このようにして、プラグ３及び回転部３２を回転させることによって、アンテナ５を、引っ込むように、又は伸びるように制御するという目的が達成される。反対に、アンテナ５を引くことによって、プラグ３を、引っ込むように、又はシェル１から伸長するように制御するという目的も達成される。
【００２９】
この実施形態では、電子装置は、インターネットへのモバイル無線アクセスを実施するように構成された、無線モデムなどの、モバイルブロードバンド装置である。プラグは、ＵＳＢインタフェースのプラグであり、ここで、プラグは、パーソナルコンピュータなどの、ＵＳＢインタフェースを有するユーザ端末に接続して、モバイルブロードバンド装置を介した、インターネットへの、パーソナルコンピュータの接続を実施するために使用される、ＵＳＢ回転プラグ、又は直押し式ＵＳＢプラグであってもよい。アンテナは、モバイルブロードバンド装置と、無線通信ネットワークとの間の、無線周波数送信及び受信を実施するように構成された、伸縮式アンテナである。モバイルブロードバンド装置が動作状態にある場合、アンテナは、シェルから伸ばされ、又は伸長し、モバイルブロードバンド装置が動作しない場合、アンテナは、シェルに引っ込められる。
【００３０】
実施形態３
図６に示すように、この実施形態は、実施形態１と基本的に同じであり、違いは、以下の点にある。この実施形態のリンケージ機構４は、回転部３２上に固定的に配置された、第２のギヤ２２と、シェル１内に配置された、第３のガイドレール１３及び第４のガイドレール１４と、第３のガイドレール１３内に組み込まれた、かつ、第２のギヤ２２と歯合された、第２のラック１５と、第４のガイドレール１４内に組み込まれた、かつ、アンテナ５に固定的に接続された、第３のラック１６と、シェル１内にヒンジ連結された、かつ、相互に歯合された、第３のギヤ１７及び第４のギヤ１８とを含む。
【００３１】
第３のラック１６は、第４のガイドレール１４内をスライドしてもよく、そして、第３のラック１６は、スライドする場合、アンテナ５を、引っ込むように、又は伸びるように駆動する。
【００３２】
第３のギヤ１７は、第２のラック１５と歯合され、第４のギヤ１８は、第３のラック１６と歯合される。
【００３３】
この実施形態では、プラグ３が、プラグ３がシェル１から伸長した、又はシェル１に引っ込められた状態にある位置まで回転する場合、回転する回転部３２は、回転部３２に固定的に接続された第２のギヤ２２を、一緒に回転するように駆動し、第２のギヤ２２は、第２のラック１５を、第３のガイドレール１３内をスライドするように駆動し、スライドする第２のラック１５は、第３のギヤ１７を、回転するように更に駆動し、そして、第３のギヤ１７を介して、第４のギヤ１８を、回転するように駆動し、回転する第４のギヤ１８は、第３のラック１６を、第４のガイドレール１４内をスライドするように更に駆動する。第３のラック１６は、アンテナ５に固定的に接続されているため、スライドする第３のラック１６は、アンテナ５を、アンテナ５が引っ込められた、又は伸ばされた状態にある位置までスライドするように更に駆動する。
【００３４】
この実施形態では、電子装置は、インターネットへのモバイル無線アクセスを実施するように構成された、無線モデムなどの、モバイルブロードバンド装置である。プラグは、ＵＳＢインタフェースのプラグであり、ここで、プラグは、パーソナルコンピュータなどの、ＵＳＢインタフェースを有するユーザ端末に接続して、モバイルブロードバンド装置を介した、インターネットへの、パーソナルコンピュータの接続を実施するために使用される、ＵＳＢ回転プラグ、又は直押し式ＵＳＢプラグであってもよい。アンテナは、モバイルブロードバンド装置と、無線通信ネットワークとの間の、無線周波数送信及び受信を実施するように構成された、伸縮式アンテナである。モバイルブロードバンド装置が動作状態にある場合、アンテナは、シェルから伸ばされ、又は伸長し、モバイルブロードバンド装置が動作しない場合、アンテナは、シェルに引っ込められる。
【００３５】
実施形態４
図７に示すように、この実施形態は、実施形態１と基本的に同じであり、違いは、以下の点にある。この実施形態では、リンケージ機構４は、柔軟ベルト１９（その一方の端は、回転部３２に固定的に接続され、回転部３２を巻き、他方の端は、アンテナ５に固定的に接続される）と、シェル１内に配置された、アンテナガイドレール２０とを含み、ここで、アンテナ５は、アンテナ５が引っ込められた、又は伸ばされた状態にある位置まで、アンテナガイドレール２０内をスライドしてもよい。
【００３６】
プラグ３がシェル１から伸長した、又はシェル１に引っ込んだ状態にある位置まで、プラグ３が回転する場合、プラグ３の回転部３２は、同様に回転し、同時に、柔軟ベルト１９を引く。柔軟ベルト１９は回転部３２を巻くため、柔軟ベルト１９は、引かれた場合、アンテナ５を、アンテナガイドレール２０内で、アンテナ５が引っ込められた、又は伸ばされた状態にある位置までスライドするように駆動する。反対に、アンテナ５が、アンテナガイドレール２０内で、アンテナ５が伸ばされた、又は引っ込められた状態にある位置までスライドする場合、アンテナ５は、更に、柔軟ベルト１９を引き、そして、柔軟ベルト１９を介して、回転部３２を引き、これにより、プラグ３は、プラグ３がシェル１から伸長した、又はシェル１に引っ込んだ状態にある位置まで回転する。アンテナ５をスライドさせることの便宜のために、シェル１内に、アンテナガイドレール２０と平行なスロットが開けられてもよく、そして、アンテナ５がアンテナガイドレール２０内をスライドするように、指が、スロットを介して、アンテナ５を移動させてもよい。もちろん、可動部が、アンテナ５に固定的に接続され、アンテナ５から伸長されてもよく、そして、指が、可動部を介して、アンテナ５を、アンテナガイドレール２０内をスライドするように移動させてもよい。この実施形態では、アンテナ５が、アンテナガイドレール２０内を、アンテナ５が伸ばされた状態にある位置までスライドする場合、プラグ３は、プラグ３がシェル１から伸長した状態にある位置まで回転し、そして、プラグ３が、プラグ３がシェル１に引っ込められた状態にある位置まで回転する場合、アンテナ５は、アンテナガイドレール２０内を、アンテナ５が引っ込められた状態にある位置までスライドする。
【００３７】
この実施形態では、電子装置は、インターネットへのモバイル無線アクセスを実施するように構成された、無線モデムなどの、モバイルブロードバンド装置である。プラグは、ＵＳＢインタフェースのプラグであり、ここで、プラグは、パーソナルコンピュータなどの、ＵＳＢインタフェースを有するユーザ端末に接続して、モバイルブロードバンド装置を介した、インターネットへの、パーソナルコンピュータの接続を実施するために使用される、ＵＳＢ回転プラグ、又は直押し式ＵＳＢプラグであってもよい。アンテナは、モバイルブロードバンド装置と、無線通信ネットワークとの間の、無線周波数送信及び受信を実施するように構成された、伸縮式アンテナである。モバイルブロードバンド装置が動作状態にある場合、アンテナは、シェルから伸ばされ、又は伸長し、モバイルブロードバンド装置が動作しない場合、アンテナは、シェルに引っ込められる。
【００３８】
図８に示すように、この実施形態は更に改良される。リンケージ機構４は、シェル１内に固定的に配置された、スリングホイール２５を更に含み、回転部３２に固定的に接続された、柔軟ベルト１９は、スリングホイール２５を通過した後、アンテナ５に固定的に接続される。スリングホイール２５は、柔軟ベルト１９を制限し、かつ緊張させてもよい。
【００３９】
前述の説明は、本発明のいくつかの実施形態にすぎず、本発明を限定することを意図するものではない。当業者によって、本発明の原理から逸脱することなく行われる様々な変形及び修正は、本発明の保護範囲内に入る。従って、本発明の保護範囲は、添付の特許請求の範囲によって決まる。
【図１】
0005596165.tif 000002
【図２】
0005596165.tif 000003
【図３】
0005596165.tif 000004
【図４】
0005596165.tif 000005
【図５】
0005596165.tif 000006
【図６】
0005596165.tif 000007
【図７】
0005596165.tif 000008
【図８】
0005596165.tif 000009